(57)【要約】      （修正有）【課題】上下２つの球振分体の組み合わせにより、同時に複数の球誘導経路に対して遊技球を通過可能にして、球振分けの態様を多様化すると共に、特定入賞口に対する球誘導確率の変化を容易な構造で実現する。【解決手段】球入口から入った遊技球が通過すると特定遊技となる特典が遊技者に与えられる特定球通過領域と、特定遊技となる特典は与えられない一般球通過領域と、前記特定球通過領域又は一般球通過領域に至るまでの複数の球誘導経路を形成する球振分装置とを有する入賞装置を備えた遊技機であって、前記球振分装置は、上部及び下部の２つの球振分体と、遊技球Ｂを前記上部球振分体に誘導する第１球誘導管部（第１球通路）１７と、前記上部球振分体に対する相対位置の変化により球誘導経路が変化されて、遊技球Ｂを前記上部又は下部のいずれかの球振分体に確定的に又は選択的に誘導する第２球誘導管部（第２球通路）１８とを備えた構成とする。【選択図】図８
2006006767.tif 000002
【特許請求の範囲】
【請求項１】
球入口と、該球入口から入った遊技球が通過すると特定遊技となる特典が遊技者に与えられる特定球通過領域と、前記球入口から入った遊技球が通過しても特定遊技となる特典は与えられない一般球通過領域と、前記球入口から入った遊技球が前記特定球通過領域又は一般球通過領域に至るまでの複数の球誘導経路を形成する球振分装置とを有する入賞装置を備えた遊技機であって、
前記球振分装置は、前記複数の球誘導経路の主要部を形成すべく、相上下して配置された上部及び下部の２つの球振分体と、前記球入口に入った遊技球を前記上部球振分体に誘導する第１球通路と、前記上部球振分体に対する相対位置の変化により球誘導経路が変化されて、前記球入口に入った遊技球を前記上部又は下部のいずれかの球振分体に確定的に又は選択的に誘導する第２球通路とを備えていることを特徴とする入賞装置を備えた遊技機。
【発明の詳細な説明】
【技術分野】
【０００１】
本発明は、特定入賞口（Ｖ入賞口）に対する球誘導確率の異なる複数の球誘導経路を設けることにより、遊技の面白さを高めた遊技機に関するものである。
【背景技術】
【０００２】
例えば、遊技機の一つである第２種パチンコ機は、遊技盤面の中央部にセンター役物装置を備えている。このセンター役物装置は、始動口に遊技球が入賞すると羽根部材が所定時間だけ解放して球入口が開かれ、該球入口に流入した遊技球はセンター役物装置内に取り込まれる。センター役物装置内において遊技球は、入賞難易度の異なる複数の入賞経路のいずれかを通って前記特定入賞口に入賞して、遊技者に特典（大当り遊技）が付与される場合と、前記特定入賞口に入賞せずに別の一般入賞口に入賞して、所定数の賞球が払い出される場合とがある。
【０００３】
上記センター役物装置の一つとして、特許文献１に記載のものが知られており、水平軸心を中心にして正逆回転する一つの回転振分体による振分機能を主体にして、入賞難易度の異なる種々の入賞経路を形成している。このセンター役物装置は、一つの回転振分体の正逆回転によって入賞難易度の異なる複数の入賞経路を形成している利点はあるが、一つの回転振分体が正逆回転するのみであるため、同一時間において現出可能な入賞経路は常に一つのみであって、動作としてはそれほど複雑ではなかった。
【特許文献１】特開２００３−２６０２０９号公報
【発明の開示】
【発明が解決しようとする課題】
【０００４】
本発明の課題は、上記した遊技機において、上下２つの球振分体の組み合わせにより、時間的に同時に複数の球誘導経路に対して遊技球を通過可能にして、球振分けの態様を多様化すると共に、特定入賞口に対する球誘導確率の変化を容易な構造によって実現して遊技の面白さを高めることである。
【課題を解決するための手段】
【０００５】
上記の課題を解決するための第１解決手段は、球入口と、該球入口から入った遊技球が通過すると特定遊技となる特典が遊技者に与えられる特定球通過領域と、前記球入口から入った遊技球が通過しても特定遊技となる特典は与えられない一般球通過領域と、前記球入口から入った遊技球が前記特定球通過領域又は一般球通過領域に至るまでの複数の球誘導経路を形成する球振分装置とを有する入賞装置を備えた遊技機であって、前記球振分装置は、前記複数の球誘導経路の主要部を形成すべく、相上下して配置された上部及び下部の２つの球振分体と、前記球入口に入った遊技球を前記上部球振分体に誘導する第１球通路と、前記上部球振分体に対する相対位置の変化により球誘導経路が変化されて、前記球入口に入った遊技球を前記上部又は下部のいずれかの球振分体に確定的に又は選択的に誘導する第２球通路とを備え、前記下部球振分体は、前記特定球通過領域への球誘導確率が異なる複数の領域に区分され、前記複数の領域は、上部球振分体から下部球振分体に遊技球が誘導される第１領域と、第２球通路から直接に下部球振分体に遊技球が誘導される第２領域とによって構成され、下部球振分体に対する球誘導経路によって遊技球が前記第１又は第２の領域に誘導されることにより特定球通過領域に対する球誘導確率が変化するように構成されていることを特徴としている。
【０００６】
第１解決手段によれば、球入口から第１球通路に流入した遊技球は、上部球振分体に誘導された後に、下部球振分体における区分された第１又は第２のいずれかの領域に誘導される（第１球誘導経路）。一方、別の球入口から第２球通路に流入した遊技球は、上部球振分体に対する第２球通路の出口の相対位置の変化によって球誘導経路が変化して、下部球振分体における区分された別の領域に誘導される場合（第２球誘導経路）と、上部球振分体に誘導される場合（第３球誘導経路）とに大別される。第３球誘導経路の場合には、上部球振分体よりも下流側の球誘導経路は、第２球誘導経路を通った場合と同様であって、特定球通過領域に対する球誘導確率は同一となる。よって、第２球通路から直接に下部球振分体に遊技球が誘導された場合である第２球誘導経路を通った場合における特定球通過領域に対する球誘導確率のみが、他の球誘導経路を通った場合と異なる。一般的には、第２球誘導経路の通過確率は、他の経路の通過確率よりも高いので、第２球誘導経路を通った場合の前記球誘導確率は、他の球誘導経路を通った場合よりも低く設定されることが多い。また、第１及び第３の各球誘導経路において、上部球振分体から下部球振分体の定められた領域に遊技球を誘導させる際に、上部及び下部の各球振分体は、相対的に回転しているために、即ち、同一方向に回転する場合には回転速度が異なっているか、又は逆方向に回転しているために、下部球振分体に遊技球が放出されるタイミングにより特定入賞口に誘導されるか否かが定められる。
【０００７】
ここで、上部球振分体に対する第２球通路の出口の相対位置の変化態様によっては、上部球振分体に対する第２球通路の出口の相対位置の変化によって球誘導経路が確定的に変化して、必ず下部又は上部のいずれか一方の球振分体に誘導される場合（確定的誘導）と、上部球振分体に対する第２球通路の出口の相対位置、或いは第２球通路を誘導される遊技球の出口における速度等の諸条件に応じて、第２球通路の出口まで誘導された遊技球は、上部及び下部の双方の球振分体のいずれか一方に選択して誘導される場合（選択的誘導）とがある。
【０００８】
このように、第１手段は、最終的には、下部球振分体のいずれの領域に遊技球が誘導されるかによって、特定入賞口に対する球誘導確率が変化するように構成されていて、相上下して配置される上部及び下部の２つの球振分体を備えているために、上記した第１ないし第３の３つの各球誘導経路は大きく異なっていて、遊技者はこの経路を認識できるので、遊技の面白さが倍増される。
【０００９】
また、第２解決手段は、第１解決手段において、上部球振分体は、上下動する構成であって、第２球通路から上部又は下部のいずれの球振分体へ遊技球が誘導されるかは、上部球振分体の上下方向に沿った位置によりほぼ定められる構成であることを特徴としている。
【００１０】
第２解決手段によれば、上部球振分体が上昇端位置で上下動を停止して回転している状態では、第２球通路の出口から放出された遊技球は、上部球振分体の周壁部等に当たって落下することにより、殆ど全ての遊技球は下部球振分体の定められた領域まで誘導される。一方、上部球振分体が下降端位置で上下動を停止して回転している状態では、第２球通路の出口から放出された遊技球の大部分は、下降端位置で回転している上部球振分体に誘導されると共に、遊技球の一部である放出速度の小さい遊技球は、前記出口において上部球振分体まで放出されることなく、当該出口でそのまま落下して、下部球振分体の定められた領域まで誘導される。更に、上部球振分体の上下動の途中においては、上部球振分体に対する第２球通路の出口の相対位置、該出口における遊技球の速度等の諸条件によって、上部球振分体又は下部球振分体のいずれかに誘導される。
【００１１】
また、第３解決手段は、第１解決手段において、上部球振分体は、定位置で回転して、周壁部の周方向に沿って所定間隔をおいて第２球通路からの遊技球を通過させる球通過溝が形成されていることを特徴としている。
【００１２】
第３解決手段によれば、第２球通路から上部球振分体に向けて放出される遊技球は、前記放出時における上部球振分体の周方向に沿った位置によって、即ち、上部球振分体の球通過溝と対峙した場合には、そのまま上部球振分体に誘導され、上部球振分体の周壁部と対峙した場合には、該周壁部に当たった後に、直接に下部球振分体の特定の領域に誘導される。
【００１３】
また、第４解決手段は、第１ないし第３のいずれかの解決手段において、下部球振分体の複数の領域は、その内外方向に沿って区分されたリング状に形成されていることを特徴としている。
【００１４】
第４解決手段によれば、リング状をした各領域を周方向に沿って更に複数に区分して、周方向における特定の区分小領域に遊技球が誘導された場合にのみ、特定入賞口に誘導されるように構成することにより、周方向における区分小領域の区分数によって特定球通過領域に対する球誘導確率を容易に定められる。また、上部球振分体から下部球振分体への誘導放出口、及び第２球通路から下部球振分体への誘導放出口の下部球振分体の半径方向に沿った位置を固定できるので、下部球振分体に対する球誘導路の配置設計が容易となる。
【発明の効果】
【００１５】
本発明によれば、上部球振分体に対する第２球通路の出口の相対位置の変化によって、第２球通路を通過する遊技球の誘導経路が大きく異なって、下部球振分体における特定球通過領域に対する球誘導確率の異なる領域に誘導される。また、上部及び下部の各球振分体の組み合わせにより、複数の球誘導経路の主要部を形成することにより、時間的に同時に複数の球誘導経路に対して遊技球を通過可能にして、球振分けの態様を多様化すると共に、特定球通過領域に対する球誘導確率の変化が簡単な構造によって実現されて、遊技の面白さが高められる。
【発明を実施するための最良の形態】
【００１６】
以下、本発明を実施するための最良形態を挙げて、本発明を更に詳細に説明する。
【実施例１】
【００１７】
図１は、本発明に係るセンター入賞装置Ｆを備えた第２種パチンコ機の遊技盤１の部分の正面図であり、図２は、図１のＸ−Ｘ線断面図である。図１及び図２において、パチンコ機の遊技盤１の前面に形成された遊技領域２の中央部には、センター入賞装置Ｆが遊技盤１よりも奥側に入り込んだ状態で配置され、装置枠体３の内部に、本発明に係る球振分装置Ａが配置されている。センター入賞装置Ｆの周囲を取り囲む装置枠体３の上部には、遊技領域２の左右対称線に対して対称位置に、球振分装置Ａ内に遊技球を入れる（取り込む）ための左右一対の羽根部材４が回動可能に設けられ、図１で示されるように、各羽根部材４が開いた状態で球入口５が形成されると共に、各羽根部材４が閉じることにより前記球入口５が閉じられる構成になっている。遊技領域２の下部には、該遊技領域２の左右対称線上、及び該左右対称線に対して対称位置に計３個の始動入賞口６と２個の一般入賞口７が配置されている。中央の連続した３個の始動入賞口６のうち中央の始動入賞口６に遊技球が入賞すると、前記一対の羽根部材４が開閉動作を例えば２回行うようになっていると共に、両端の始動入賞口６に遊技球Ｂが入賞すると、前記一対の羽根部材４が開閉動作を例えば１回行うようになっている。また、前記装置枠体３の高さ方向の中央部の両側には、一対の一般入賞口８が配置されている。一対の一般入賞口８の直下位置、及び一対の羽根部材４の斜上方には、それぞれ風車１９が配置されている。また、遊技盤１における球振分装置Ａの直下には、入賞により遊技者に特典を与える特定入賞口９と、該特定入賞口９の両側に配置された一対の一般入賞口１０との計３個の入賞口が設けられている。センター入賞装置Ｆは、球入口５、球振分装置Ａ、特定入賞口９等により構成される。なお、図１において３０は、遊技領域２に放たれた遊技球のうちいずれの球入口５及び入賞口６，７，８にも入らなかったアウト球を回収するアウト口を示す。
【００１８】
また、前記装置枠体３の内部は、仕切板部１１を介して下室１２と、該下室１２よりも遙に小さな上室１３とに上下方向に区分されて、遊技盤１における上室１３の外側に前記一対の球入口５が奥側に向けて形成されている。各球入口５に流入した遊技球Ｂは、球通路（図示せず）を通って、左右両側のいずれかの球出口１４から流出されて上室１３に収容される構成となっている。図２に示されるように、装置枠体３の仕切板部１１は、左右方向（横方向）及び前後方向（奥行方向）の双方において中央部が最も低くなるように形成され、仕切板部１１の中央部の最も低い部分には、球落下口１５が形成されている。球落下口１５の形成位置は、球振分装置Ａを構成する上部及び下部の各球振分体Ｓ1 ，Ｓ2 の回転中心Ｃとほぼ一致している。球落下口１５に流入した遊技球Ｂは、球誘導管Ｄを通って下室１２に配設された球振分装置Ａに誘導される。球誘導管Ｄは、仕切板部１１の直下に略水平となって配置された第１球誘導管部１６と、該第１球誘導管部１６の右端側に連結されて、当該部分まで誘導された遊技球Ｂを更に下方に誘導する第２球誘導管部１７と、前記第１球誘導管部１６の左端側に連結されて、当該部分まで誘導された遊技球Ｂを更に下方に誘導する第３球誘導管部１８とで構成される。第２球誘導管部１７は、駆動機構（図示せず）によって球振分装置Ａを構成する上部球振分体Ｓ1 の上下動と連動して上下動する構成となっている。よって、球落下口１５から直下の第１球誘導管部１６の長手方向の中央部に落下した遊技球Ｂは、左右のいずれかの方向に転動することにより、第２又は第３のいずれかの球誘導管部１７，１８の上端部分に達した後に、当該部分において誘導方向を下方に変更されて更に誘導される。そして、第２及び第３の各球誘導管部１７，１８は、それぞれ本発明における第１及び第２の各球通路に該当する。
【００１９】
次に、下室１２に配設された球振分装置Ａについて詳細に説明する。図３は、球振分装置Ａの一部を破断した斜視図であり、図４は、同じく分解斜視図であり、図５は、下部球振分体Ｓ2 の配置状態の平面図であり、図６は、図５のＹ−Ｙ線断面図である。球振分装置Ａは、垂直の回転軸心Ｃを同一にして相上下して配設される上部及び下部の各球振分体Ｓ1 ，Ｓ2 で構成される。上部球振分体Ｓ1 は、図３及び図４に示されるように、略逆円錐状の振分体本体２１の外周部に環状の周壁部２２が形成されて、振分体本体２１の外周部の最も低い部分と前記周壁部２２との環状の部分が球収容転動部２３となっている。該球収容転動部２３は、周方向に沿って高さの変化が設けてあり、最も低い部分に球落下口２４が形成されて、振分体本体２１における前記球落下口２４に連続する部分には、球落下口２４に誘導されて落下する遊技球Ｂをそのまま直下に誘導落下させる球誘導管２５が取付けられている。振分体本体２１は、所定ストロークで上下動する第１駆動軸２６の上端に一体となって取付けられている。
【００２０】
また、図３ないし図６に示されるように、下部球振分体Ｓ2 は、リング状の固定体３１と、該固定体３１内に収容されて回転する円盤状の回転体３２とで構成される。回転体３２の中心のボス部３３には、固定体３１のボス部３４を貫通する円筒状の第２駆動軸３５が嵌合され、回転体３２は、第２駆動軸３５により所定方向に駆動回転される。回転体３２を構成する略円板状の回転板３６は、リング状の区分壁部３７によって外周領域Ｅ1 と内周領域Ｅ2 に区分され（図５参照）、外周領域Ｅ1 は、半径方向に沿って区分壁部３８によって３つの区分室Ｅ11〜Ｅ13に区分されて、特定の１つの区分室Ｅ11には、特定誘導口３９が形成されていると共に、残りの２つの区分室Ｅ12，Ｅ13には、一般誘導口４１が形成されている。特定誘導口３９は、回転軸心Ｃから半径方向に沿って最も遠い部分に形成されていると共に、一般誘導口４１は、回転軸心Ｃから半径方向に沿って最も近い部分に形成され、しかも特定及び一般の各誘導口３９，４１は、区分室Ｅ11〜Ｅ13において最も低くなっている。一方、内周領域Ｅ2 は、半径方向の区分壁部４２により５つの区分室Ｅ21〜Ｅ25に区分されて、特定の一つの区分室Ｅ21のみに、内周領域Ｅ2 に誘導された遊技球Ｂを特定入賞口９に誘導するための特定誘導口４３が形成され、残りの全ての区分室Ｅ22〜Ｅ25には、前記特定誘導口４３と異なる位置に、遊技球Ｂを特定入賞口９に誘導することのない一般誘導口４４が形成されている。即ち、特定誘導口４３は、区分室Ｅ21において半径方向に沿って回転軸心Ｃから最も遠い部分に形成されていると共に、一般誘導口４４は、各区分室Ｅ22〜Ｅ25において回転軸心Ｃから最も近い部分に形成されていて、特定及び一般の各誘導口４３，４４は、いずれも各区分室Ｅ22〜Ｅ25において最も低くなるように、各区分室Ｅ22〜Ｅ25の板部を傾斜させてある。この結果、回転中の下部球振分体Ｓ2 の外周及び内周の各領域Ｅ1 ，Ｅ2 に誘導される遊技球Ｂが特定入賞口９に誘導される球誘導確率は、それぞれ（１／３），（１／５）である。
【００２１】
また、固定体３１には、環状壁部４５の高さ方向の略中央部に、円板状の底板部４６が一体に設けられて、前記回転体３２は、固定体３１の環状壁部４５と底板部４６とで形成される収容空間４７に収容される。固定体３１の周方向に沿って異なる位置には、前記回転体３２の外周及び内周の各領域Ｅ1 ，Ｅ2 に形成された特定誘導口３９，４３に対応する位置に、それぞれ固定体３１の側の特定誘導口４８，４９が形成されている。全く同様に、回転体３２の外周及び内周の各領域Ｅ1 ，Ｅ2 に形成された一般誘導口４１，４４に対応する位置に、それぞれ固定体３１の側の一般誘導口５１，５２が形成されている。また、固定体３１の側の特定誘導口４８，４９の直下には、回転体３２の特定誘導口３９（４３）と固定体３１の特定誘導口４８（４９）との合致により（図６参照）、該特定誘導口４８，４９から落下して収容された遊技球Ｂを遊技盤１の盤面の側に向けて誘導する誘導樋５３が回転体３２の半径方向に沿って配置されている。また、固定体３１の環状壁部４５における前記誘導樋５３に対応する位置には、該誘導樋５３により盤面の側に向けて誘導された遊技球Ｂを排出させる球排出口５４が形成されている。全く同様にして、固定体３１の側の一般誘導口５１，５２の直下には、別の誘導樋５５が回転体３２の半径方向に沿って配置されて、回転体３２の一般誘導口４１（４４）と固定体３１の一般誘導口５１（５２）との合致により、固定体３１の一般誘導口５１，５２から落下した遊技球Ｂを収容して、入賞球排出路５６に向けて誘導される。
【００２２】
また、図３及び図６に示されるように、下部球振分体Ｓ2 を駆動回転される第２駆動軸３５の中空部には、クランク機構（図示せず）等によって、上部球振分体Ｓ1 を駆動回転させる第１駆動軸２６が所定ストロークで軸方向に往復移動可能（上下動可能）に挿通されている。第１及び第２の駆動軸２６，３５は、それぞれ個別の駆動モータ（図示せず）により駆動回転される。上部及び下部の各球振分体Ｓ1 ，Ｓ2 は、異なる回転速度で同一方向に回転させることが多いが、逆方向に回転させてもよく、いずれにしても相対的に回転する構成となっている。
【００２３】
このように、下部球振分体Ｓ2 は、装置枠体３の下室１２の棚板２９に僅かに手前側に低くなった状態で設置されていて、第２駆動軸３５の駆動回転によって固定体３１に対して回転体３２が所定方向に回転する。一方、下部球振分体Ｓ2 の回転体３２と回転軸心Ｃを同一にして、下部球振分体Ｓ2 の直上には上部球振分体Ｓ1 が、前記下部球振分体Ｓ2 に対して相対的に回転し、しかも所定ストロークで上下動可能なように配置されている。また、図３、図７及び図８に示されるように、第２球誘導管部１７は、その下端部が上部球振分体Ｓ1 の側に向けて屈曲されていて、上部球振分体Ｓ1 の上下動と連動して上下動して、第２球誘導管部１７の下端部の出口１７ａから遊技球Ｂを放出させることにより、常に上部球振分体Ｓ1 に遊技球Ｂを誘導するものである。上部球振分体Ｓ1 の外周部に形成された球落下口２４には、球収容転動部２３を転動して球落下口２４に達した遊技球Ｂをそのまま下方に誘導させるための球誘導管２５が下方に向けて設けられていて、該球誘導管２５により誘導された遊技球Ｂは、直下の回転中の下部球振分体Ｓ2 を構成する回転体３２の外周領域Ｅ1 のいずれかの区分室Ｅ11〜Ｅ13に誘導されるようになっている。
【００２４】
なお、上部球振分体Ｓ1 の上下動と連動されて、第２球誘導管部１７を上下動させるのは、第２球誘導管部１７の下端部の出口１７ａから放出された遊技球Ｂが上部球振分体Ｓ1 の振分体本体２１の周面に当たって弾むのを防止するためであって、上部球振分体Ｓ1 の形状等によって前記弾みが抑制される構成であるならば、第２球誘導管部１７は、上部球振分体Ｓ1 の上下動と連動させて上下動させる必要はない。
【００２５】
一方、第３球誘導管部１８は、緩傾斜方向から垂直方向に誘導路を変更する部分に形成されて、上部球振分体Ｓ1 に遊技球Ｂを誘導するための第１出口２７ａと、該第１出口２７ａよりも垂直方向に沿って下方であって、水平方向に沿って回転軸心Ｃに近い部分に形成されて、下部球振分体Ｓ2 を構成する回転体３２の内周領域Ｅ2 のいずれかの区分室Ｅ21〜Ｅ25に遊技球Ｂを誘導するための第２出口２７ｂとの２つの出口を有している。このため、図７に示されるように、上部球振分体Ｓ1 が上昇端位置で上下動を停止して回転している場合には、第３球誘導管部１８の第１出口２７ａに達した遊技球Ｂのうち所定の速度を有しているものは、回転中の上部球振分体Ｓ1 の周壁部２２に当たった後に、第３球誘導管部１８の垂直誘導部１８ａ及び水平誘導部１８ｂにより順次誘導されて、第２出口２７ｂから放出されることにより、下部球振分体Ｓ2 の回転体３２の内周領域Ｅ2 のいずれかの区分室Ｅ21〜Ｅ25に誘導される。また、第３球誘導管部１８の第１出口２７ａに達した遊技球Ｂのうち速度が小さいものは、第１出口２７ａにおいてそのまま落下して、上記と同一経路を通って、回転体３２の内周領域Ｅ2 のいずれかの区分室Ｅ21〜Ｅ25に誘導される。即ち、この場合には、誘導経路は一定しているため「確定的誘導」となる。
【００２６】
また、図８に示されるように、上部球振分体Ｓ1 が下降端位置で上下動を停止して回転している場合には、第３球誘導管部１８の第１出口２７ａに達した遊技球Ｂのうち所定の速度を有しているものは、そのまま上部球振分体Ｓ1 に向けて放出されて、球収容転動部２３に収容されると共に、第１出口２７ａにおける速度が小さい遊技球Ｂは、その位置で落下して垂直及び水平の各誘導部１８ａ，１８ｂを通って、下部球振分体Ｓ2 を構成する回転体３２の内周領域Ｅ2 のいずれかの区分室Ｅ21〜Ｅ25に収容される。この場合には、第３球誘導管部１８の第１出口２７ａに達した遊技球Ｂは、自身の有している速度によって誘導方向が異なるため、「選択的誘導」となる。
【００２７】
更に、上部球振分体Ｓ1 の上下動中においては、上部球振分体Ｓ1 に対する第３球誘導管部１８の第１出口２７ａの相対的な位置関係が順次変化するために、前記相対的位置関係、遊技球Ｂの有している速度等の諸条件によって、上部球振分体Ｓ1 に誘導される場合と、下部球振分体Ｓ2 の回転体３２の内周領域Ｅ2 に誘導される場合とがあるため、「選択的誘導」となる。なお、図２において、６１は、パチンコ機の前面のガラス扉のガラス板を示し、６２は、前記上室１３の前面を覆っている装飾板を示す。
【００２８】
そして、遊技領域２に放たれた遊技球Ｂが３つの始動入賞口６のいずれかに入賞すると、入賞した始動入賞口６に対応した回数だけ左右一対の羽根部材４が所定時間だけ開放されて、球入口５が開かれる。球入口５に流入した遊技球Ｂは球通路（図示せず）を通って遊技盤１の奥方に誘導されて球出口１４から上室１３に排出される。なお、球入口５に遊技球Ｂが流入すると、該球入口５に設けられた球通過検出センサ（図示せず）により遊技球Ｂの通過が検出されると、所定数の賞球が払い出される。上室１３に排出された遊技球Ｂは、仕切板部１１の上面を転動して、最も低い位置に形成された球落下口１５から直下の第１球誘導管部１６に落下した後に、左右のいずれかの方向に転動する。遊技球Ｂが右側に転動した場合には、第１球誘導管部１６の右端部において第２球誘導管部１７に移送された後に下方に誘導されて、その下端の出口１７ａから回転中の上部球振分体Ｓ1 に向けて放出される。上部球振分体Ｓ1 に向けて放出された遊技球Ｂは、振分体本体２１に当って、周壁部２２の内側の球収容転動部２３に収容された後に、最も低い球落下口２４に達すると、球誘導管２５によって、直下の下部球振分体Ｓ2 を構成する回転体３２の外周領域Ｅ1 に誘導されて（第１球誘導経路Ｒ1 ）、３つの区分室Ｅ11〜Ｅ13のいずれかに収容される。３つの区分室Ｅ11〜Ｅ13のうち区分室Ｅ11に遊技球Ｂが収容されると、回転体３２の特定誘導口４３と固定体３１の特定誘導口４９との合致により、前記遊技球Ｂは、合致した２つの特定誘導口４３，４９を通過して直下の誘導樋５３に収容された後に、手前側に転動して固定体３１の球排出口５４から遊技領域２に落下放出される。そして、特定入賞口９に入賞して、該入賞口９内に設けられたセンサ９ａによって遊技球Ｂの通過が検出されると、一対の羽根部材４が所定回数だけ開放動作を反復するという遊技者に大当り遊技の特典が与えられる。また、球排出口５４から落下放出された遊技球Ｂが前記特定入賞口９に入賞しない場合は、その両側のいずれかの一般入賞口１０に入賞されることとなる。一般入賞口１０に入った遊技球（入賞球）Ｂは、入賞球排出路５６に誘導された入賞球と一緒に集められる。
【００２９】
このように、回転中の上部球振分体Ｓ1 の球誘導管２５から落下される遊技球Ｂが、直下の下部球振分体Ｓ2 を構成する回転中の回転体３２の外周領域Ｅ1 のいずれの区分室Ｅ11〜Ｅ13に収容されるかは、遊技球Ｂの落下のタイミングに依存する。そして、落下のタイミングによって遊技球Ｂが特定入賞口９を有していない他の区分室Ｅ12，Ｅ13に収容された場合には、前記区分室Ｅ12，Ｅ13の一般誘導口４１と、固定体３１の一般誘導口５１との合致により、直下の誘導樋５５に落下収容された後に、入賞球排出路５６に流入する。なお、「特定入賞口９」は、請求項１における「特定球通過領域」に相当すると共に、「一般入賞口１０」及び「入賞球排出路５６」は、請求項１における「一般球通過領域」に相当する。
【００３０】
また、図７に示されるように、上部球振分体Ｓ1 が上昇端位置で上下動を停止して回転している状態では、上述したように、第３球誘導管部１８により誘導されてきた遊技球Ｂは、下部球振分体Ｓ2 を構成する回転体３２の内周領域Ｅ2 の５つの区分室Ｅ21〜Ｅ25のいずれかに収容される（第２球誘導経路Ｒ2 ）。特定誘導口３９が設けられた区分室Ｅ11に収容されると、上記とほぼ同等の経路を経て、特定入賞口９に向けて誘導される。
【００３１】
更に、図８に示されるように、上部球振分体Ｓ1 が下降端位置で上下動を停止して回転している状態では、上述したように、第３球誘導管部１８により誘導されてきた遊技球Ｂの大部分は、上部球振分体Ｓ1 に向けて放出されて該振分体Ｓ1 に収容され（第３球誘導経路Ｒ3 ）、速度の遅い一部の遊技球Ｂのみが、第１出口２７ａの部分でそのまま落下して、下部球振分体Ｓ2 を構成する回転体３２の内周領域Ｅ2 に誘導される（第２球誘導経路Ｒ2 ）。第３球誘導経路Ｒ3 の場合には、上部球振分体Ｓ1 に収容された後においては、第１球誘導経路Ｒ1 と同様の経路を経ることとなる。
【００３２】
このため、回転中の上部球振分体Ｓ1 が上下動することにより、第３球誘導管部１８を通過する遊技球Ｂの球誘導経路が大きく変更されて、特定入賞口９に対する球誘導確率が変化し、しかも時間的に同時に複数の球誘導経路において遊技球Ｂが誘導されるので、特定入賞口９に対する球誘導確率の変化と遊技球Ｂの球誘導経路の変化とが相俟って、遊技の面白さが倍増する。また、回転中の上部球振分体Ｓ1 が上下動を停止している時間と、上下動を行う時間との比を適宜変更することにより、球入口５から球振分装置Ａに流入した遊技球Ｂの球誘導経路の変更の速度の調整を行える。
【００３３】
なお、上記実施例では、上部球振分体Ｓ1 は、第１駆動軸２６の上端部に一体に取付けた構成であるが、上部球振分体Ｓ1 の上方に第１駆動軸を配置して、該第１駆動軸の下端に上部球振分体Ｓ1 を吊下げ構造にして取付けることも可能である。
【実施例２】
【００３４】
また、上記実施例１では、上部球振分体Ｓ1 が上下動することにより、「第２球通路」である第３球誘導管部１８により誘導された遊技球Ｂの球誘導経路を変更する構成であるが、上部球振分体Ｓ1 の周壁部の形状の工夫により、上部球振分体Ｓ1 は上下方向の定位置で（即ち、上下動させないで）、第３球誘導管部１８により誘導された遊技球Ｂの球誘導経路を変更できる。即ち、図９に示される上部球振分体Ｓ1 ’は、周壁部２２’を高くして、周方向に沿って所定間隔をおいて球通過溝２２ａ’を形成すると、定位置で回転している上部球振分体Ｓ1 ’の周壁部２２’の球通過溝２２ａ’の部分では、そのまま第３球誘導管部１８から放出された遊技球Ｂは、上部球振分体Ｓ1 ’に収容され、球通過溝２２ａ’が形成されていない本来の壁の高さを有する部分では、第３球誘導管部１８から放出された遊技球Ｂが周壁部２２’に当たることにより、上部球振分体Ｓ1 ’に収容されずに、そのまま別の球誘導部材によって、直下の下部球振分体Ｓ2 の所定の領域に誘導される。第２実施例においては、周壁部２２’の高さを余り高くすると、上部球振分体Ｓ1 ’に収容された遊技球Ｂの転動状態が視認しにくいので、上記した遊技球Ｂの誘導経路を分けることが可能な範囲において、可能な限り低くすることが望ましい。このように、第２実施例の上部球振分体Ｓ1 ’の場合には、上部球振分体を上下動させるための機構が不要になって、球振分装置Ａの全体構成を簡略化でき、更に製作コストの低減化も図られる利点がある。
【００３５】
また、上記実施例において、下部球振分体に対して特定入賞口への球誘導確率の異なる領域を３以上に区分して設けることも可能である。この場合には、例えば、上部球振分体Ｓ1 から下部球振分体Ｓ2 に誘導される遊技球Ｂを更に２つの領域に分けて誘導することが考えられる。
【００３６】
なお、実施例は、特定入賞口９の両側にそれぞれ一般入賞口１０を配置して、球振分装置Ａの球排出口５４から遊技領域に落下状態で排出された遊技球が前記特定入賞口９に入賞しない場合には、その両側のいずれかの一般入賞口１０に入賞する構成であるが、この一般入賞口１０を有しないパチンコ機に対しても、本発明は実施可能である。この一般入賞口１０を有しない場合には入賞球排出路５６のみが、請求項１における「一般球通過領域」として作用する。また、一般入賞口１０を設ける場合には、球排出口５４に隣接させて別の球排出口を設けて、入賞球排出路５６に流入した遊技球が、この別の球排出口から排出されるように構成することも可能である。
【図面の簡単な説明】
【００３７】
【図１】本発明に係るセンター入賞装置Ｆを備えた第２種パチンコ機の遊技盤１の部分の正面図である。
【図２】図１のＸ−Ｘ線断面図である。
【図３】球振分装置Ａの一部を破断した斜視図である。
【図４】同じく分解斜視図である。
【図５】下部球振分体Ｓ2 の配置状態の平面図である。
【図６】図５のＹ−Ｙ線断面図である。
【図７】上昇端位置で上下動を停止した状態で上部球振分体Ｓ1 が回転している場合における球誘導経路を示す正面図である。
【図８】下降端位置で上下動を停止した状態で上部球振分体Ｓ1 が回転している場合における球誘導経路を示す正面図である。
【図９】別の実施例の上部球振分体Ｓ1 ’の斜視図である。
【符号の説明】
【００３８】
Ａ：球振分装置
Ｂ：遊技球
Ｄ：球誘導管
Ｅ1 ：下部球振分体の外周領域（第１領域）
Ｅ2 ：下部球振分体の内周領域（第２領域）
Ｆ：センター入賞装置（入賞装置）
Ｒ1 ：第１球誘導経路
Ｒ2 ：第２球誘導経路
Ｒ3 ：第３球誘導経路
Ｓ1 ，Ｓ1 ’：上部球振分体
Ｓ2 ：下部球振分体
５：球入口
９：特定入賞口（特定球通過領域）                                      １０：一般入賞口（一般球通過領域）                                      １７：第２球誘導管部（第１球通路）
１８：第３球誘導管部（第２球通路）
２６：第１駆動軸
３５：第２駆動軸
３１：下部球振分体の固定体
３２：下部球振分体の回転体
３７，３８，４２：下部球振分体の回転体の区分壁部
５６：入賞球排出路（一般球通過領域）
【図１】
2006006767.tif 000003
【図２】
2006006767.tif 000004
【図３】
2006006767.tif 000005
【図４】
2006006767.tif 000006
【図５】
2006006767.tif 000007
【図６】
2006006767.tif 000008
【図７】
2006006767.tif 000009
【図８】
2006006767.tif 000010
【図９】
2006006767.tif 000011